(57)【要約】【課題】エレベーターの不具合等によらずＡＥＤを使用可能としたうえで、患者が発生した際には早期にＡＥＤを運搬して対応できるエレベーター装置を得る。【解決手段】建物内において、複数階床の乗り場１を乗りかご７でサービスするエレベーター装置において、乗り場１の有る階床に設置されたＡＥＤ３と、階床に設けられ、ＡＥＤ専用運転を開始するＡＥＤ専用呼び釦８と、ＡＥＤ３の設置階床５を記憶する設置階床記憶装置６と、を備え、ＡＥＤ専用呼び釦８が押された場合、乗りかご７は、ＡＥＤ専用運転として押された階床を発生階床１０として直行し、その後、設置階床５へ移動して発生階床１０へ帰着する。【選択図】  図１
2010260703.tif 000002
【特許請求の範囲】
【請求項１】
建物内において、複数階床の乗り場を乗りかごでサービスするエレベーター装置において、
前記乗り場の有る前記階床に設置されたＡＥＤと、
前記階床に設けられ、ＡＥＤ専用運転を開始するＡＥＤ専用呼び釦と、
前記ＡＥＤの設置階床を記憶する設置階床記憶装置と、
を備え、前記ＡＥＤ専用呼び釦が押された場合、前記乗りかごは、ＡＥＤ専用運転として押された前記階床を発生階床として直行し、その後、前記設置階床へ移動して前記発生階床へ帰着することを特徴とするエレベーター装置。
【請求項２】
請求項１に記載のものにおいて、前記乗りかごが前記発生階床に到着した場合、前記乗りかごを前記設置階床へ直行させる専用出発釦を備えたことを特徴とするエレベーター装置。
【請求項３】
請求項１に記載のものにおいて、前記乗りかごが前記設置階床に到着した場合、前記乗りかごを前記発生階床に帰着させる専用出発釦を備えたことを特徴とするエレベーター装置。
【請求項４】
請求項１に記載のものにおいて、前記ＡＥＤ専用運転の開始と共に、少なくとも前記乗りかご内あるいは前記乗り場のいずれかに前記エレベーターが「ＡＥＤ運搬専用運転中」、又は「急患対応専用運転中」であることを音又は文字で表示することを特徴とするエレベーター装置。
【請求項５】
請求項１に記載のものにおいて、前記ＡＥＤは前記乗り場に設置され、前記ＡＥＤ専用呼び釦は前記階床の乗り場に設けられたことを特徴とするエレベーター装置。
【請求項６】
請求項１に記載のものにおいて、前記建物は複数の住戸を有する集合住宅であり、前記ＡＥＤ専用呼び釦は前記住戸内に設置された特徴とするエレベーター装置。
【請求項７】
請求項１に記載のものにおいて、前記建物は複数のテナントを有する事務所ビルであり、前記ＡＥＤ専用呼び釦はＡＥＤを装備していない階床の前記テナント内に設置された特徴とするエレベーター装置。
【請求項８】
請求項１に記載のものにおいて、前記建物は複数の病室を有する病院であり、前記ＡＥＤ専用呼び釦はＡＥＤを装備していない前記病室内に設置された特徴とするエレベーター装置。
【請求項９】
建物内において、複数階床の乗り場を乗りかごでサービスするエレベーター装置によるＡＥＤ運転方法において、
前記エレベーター装置は、前記乗り場の有る前記階床に設置されたＡＥＤと、前記階床に設けられ、ＡＥＤ専用運転を開始するＡＥＤ専用呼び釦と、前記ＡＥＤの設置階床を記憶する設置階床記憶装置と、を備え、前記ＡＥＤ専用呼び釦が押された場合、前記乗りかごは押された前記階床を発生階床として直行し、その後、前記設置階床へ移動して前記発生階床へ帰着することを特徴とするエレベーター装置によるＡＥＤ運転方法。
【発明の詳細な説明】
【技術分野】
【０００１】
本発明は、エレベーターに備えられた装置、例えば、電気的除細動が必要な患者に対する救命処置を支援する救命支援装置がエレベーターシステムに組み込まれたエレベーター装置に関する。
【背景技術】
【０００２】
エレベーターが設置された建物内で電気的除細動が必要な患者が発生した場合に、より迅速に電気的除細動を行うため、乗りかご内にＡＥＤ（Automated External Defibrillator，自動体外式除細動器）を設置するとともに、乗場ＡＥＤボタンを各階の乗場に設け、ボタンが操作されたときにその設置階に乗りかごを直行運転することが知られ、例えば特許文献１に記載されている。
【０００３】
また、救急患者の発生した階床でエレベーターの緊急呼び寄せを行い、専用運転に切替えて集中処理室、あるいは手術室へ直行運行させることが知られ、例えば特許文献２に記載されている。
【先行技術文献】
【特許文献】
【０００４】
【特許文献１】特開２００８−２６５８９８号公報
【特許文献２】特開昭６３−２８８８７５号公報
【発明の概要】
【発明が解決しようとする課題】
【０００５】
上記従来技術において、乗りかご内にＡＥＤを設置するものでは、密室状態の乗りかご内は乗りかご外のオープンな空間よりイタズラの発生確率が高く、乗りかご内のＡＥＤへのイタズラ等で緊急時の使用に支障が出ることが危惧される。
【０００６】
また、エレベーターは、故障や災害時の二次災害防止のために休止することがあり、乗りかご戸の敷居溝に小石等が詰まることによる戸開閉障害などにより、呼び寄せに応じられない事態も想定される。そして、大地震や火災が発生した場合は、心室細動などの重傷者とエレベーターの故障が同時に発生する可能性があり、乗りかご内にＡＥＤを設置したものでは、階段を利用してＡＥＤを運搬するということもできない。
【０００７】
さらに、特許文献２に記載のものは、主に病院内で発生した救急患者をエレベーターにより迅速に搬送するものであり、心室細動を発症したと推定される患者の搬送は時間と労力を要し、病院内であってもＡＥＤを運搬することに比べ、緊急性に対応できないことがあり、通常のビル，マンション，商業施設等では適用が極めて困難である。
【０００８】
さらに、ＡＥＤ設置者（ビルのオーナー）の多くは、建物内へのＡＥＤ設置数を最小限（望ましくは１個）に限定しコストを抑えつつ、機材の早期入手・使用開始できることを求めている。
【０００９】
本発明の目的は、上記従来技術の課題を解決し、エレベーターの不具合等によらずＡＥＤを常に使用可能としたうえで、患者が発生した際には早期にエレベーターでＡＥＤを運搬して対応できるようにすることである。
【課題を解決するための手段】
【００１０】
上記目的を達成するため本発明は、建物内において、複数階床の乗り場を乗りかごでサービスするエレベーター装置において、前記乗り場の有る前記階床に設置されたＡＥＤと、前記階床に設けられ、ＡＥＤ専用運転を開始するＡＥＤ専用呼び釦と、前記ＡＥＤの設置階床を記憶する設置階床記憶装置と、を備え、前記ＡＥＤ専用呼び釦が押された場合、前記乗りかごは、ＡＥＤ専用運転として押された前記階床を発生階床として直行し、その後、前記設置階床へ移動して前記発生階床へ帰着するものである。
【発明の効果】
【００１１】
本発明によれば、ＡＥＤの設置階床を記憶し、ＡＥＤ専用呼び釦が押された場合、乗りかごは、発生階床へ直行し、その後、設置階床へ移動して発生階床へ帰着するので、エレベーターの不具合等によらずＡＥＤを常に使用可能としたうえで、建物内の１個のＡＥＤを備えるだけで患者が発生した際には早期にエレベーターでＡＥＤを運搬して対応できる。
【図面の簡単な説明】
【００１２】
【図１】本発明の一実施形態による全体構成を示すブロック図。
【図２】本発明の一実施形態による制御アルゴリズムを示すフローチャート。
【図３】一実施形態を集合住宅へ適用した場合の全体構成を示すブロック図。
【発明を実施するための形態】
【００１３】
以下、一実施形態について、図１，図２を参照して説明する。  
図１は、全体構成を示し、建物内の乗り場１の有る階床，乗り場１付近の共用スペース２にＡＥＤ３を設置する。制御装置４の記憶装置内にはＡＥＤ３の設置階床５を記憶する設置階床記憶装置６を備える。ＡＥＤ３を設置していない各階床の乗り場１には、ＡＥＤ専用運転のための乗りかご７呼び手段であるＡＥＤ専用呼び釦８を設ける。
【００１４】
心室細動を発症したとみられる患者が発生した際に、居合わせた人がそのＡＥＤ専用呼び釦８を押して乗りかご７を呼ぶと、制御装置４はエレベーター９にＡＥＤ専用運転を開始させ、乗りかご７が呼びの発生した発生階床１０に向かって移動を開始する。その際に、扉１１が閉じている乗りかご７内に乗客が乗り合わせている場合は、乗客を降ろさずに発生階床１０へと直行させる。
【００１５】
ＡＥＤ専用運転の開始とともに制御装置４は、乗りかご７内及び各階床の乗り場１に向けて、エレベーター９が「ＡＥＤ運搬専用運転中」である旨または「急患対応専用運転中」である旨を知らせる音声放送１２と文字表示１３を行う。例えば「急病人発生。救援のために急病人の発生した３階に向かいます。」などと状況を逐次報告する。
【００１６】
乗りかご７が発生階床１０に到着して扉１１が開き、救助者（多くは呼び登録した人）が乗りかご７に乗り込んで第一の指令手段である専用出発釦１４を押して出発を指令すると、制御装置４は扉１１を閉じて乗りかご７を設置階床５へ直行させる。なお専用出発釦１４は、ＡＥＤ運搬専用運転中のみ操作を有効化する。
【００１７】
乗りかご７が設置階床５に到着して扉１１を開き、救助者がＡＥＤ３を乗りかご７に持ち込んだ際に、第二の指令手段である専用出発釦１４を押して出発を指令すると、制御装置４は乗りかご７を発生階床１０に帰着させ、扉１１を開いてＡＥＤ専用運転を終了させる。ＡＥＤ専用運転を終了後、制御装置４は音声放送１２または文字表示１３を停止させる。
【００１８】
なお、群管理制御を実施しているエレベーター群においては、制御装置４は乗りかご７が発生階床１０に最も早く到着すると予測される号機を選択して、ＡＥＤ専用運転を指令する。乗りかご７の満員検出機能を有する群管理制御のエレベーター群においては、選択に際して満員状態の号機を選択対象から除外する。
【００１９】
エレベーター制御装置のメモリ内容の一部を抜粋して示している。
【００２０】
本実施形態によれば、ＡＥＤ３を任意階の最少限１箇所の共用スペース２（例えば１階ロビーのエレベーター脇）に設置してエレベーター９の専用運転を実行できるので、建物内にＡＥＤ３を最少限１個備えるだけで済むとともに、エレベーター９が故障または休止しているときでもＡＥＤ３を取り出せないリスクを回避できる。また、ＡＥＤ３を乗りかご７外の場所に設置するので、ＡＥＤ３を乗りかご７内に設置する場合と比較して、ＡＥＤ専用呼び釦８へのイタズラを抑制できる。さらに、ＡＥＤ専用呼び釦８を、各階床の乗り場１付近の共用スペース２に設置するので、乗りかご７内に設置する場合と比較して、ＡＥＤ専用呼び釦８へのイタズラを抑制できる。
【００２１】
図３は、エレベーター９を備えた集合住宅１５において、各住戸１６内にＡＥＤ専用呼び釦８を設置した例を示す。乗り場１やその他の共用スペース２にはＡＥＤ専用呼び釦８を設置しない。ＡＥＤ専用呼び釦８を住戸１６設備の有償付加仕様としても良い。
【００２２】
ＡＥＤ専用呼び釦８の操作と、専用運転を終えて患者の居る階床に戻ってからの操作だけである。つまり、住戸１６内で患者が発生したときに、救助者が住戸１６内のＡＥＤ専用呼び釦８を押して、乗りかご７を住戸１６のある階床へ呼ぶ。救助者は乗り場１まで移動し、到着した乗りかご７に乗り込む。専用運転により救助者は患者の待つ住戸１６までＡＥＤ３を運んで、患者に使用する。
【００２３】
以上によれば、住戸１６内にＡＥＤ専用呼び釦８を備えたので、住戸１６内で患者が心室細動を発症した場合、より早くエレベーター９の呼び寄せができ、外部者によるＡＥＤ専用呼び釦８のイタズラ使用を防ぐことができる。さらに、制御装置４で各ＡＥＤ専用呼び釦８の操作履歴データを記録するようにすれば、ＡＥＤ専用呼び釦８を操作した住民世帯の特定が可能となる。したがって、実際には患者が発生していないが単に急いでいるために、入居者が不当にＡＥＤ専用呼び釦８を操作して専用運転させることを抑止することができる。
【００２４】
なお、各階床の乗り場１と各住戸１６内との両方にＡＥＤ専用呼び釦８を設置しても良く、その場合、ＡＥＤ専用呼び釦８を操作した住民世帯の特定が必ずしも可能でなくなるので、外部者によるＡＥＤ専用呼び釦８のイタズラ使用や入居者による不当なＡＥＤ専用運転を阻止しきれない。しかし、ＡＥＤ専用呼び釦８の設置箇所が多く、内部者／外部者のいずれもＡＥＤ専用呼び釦８にアクセスしやすいので、より迅速な救命措置を可能にするには良い。
【００２５】
次に、エレベーター９を備えた事務所ビルにおいて、ＡＥＤ３を装備していないＡＥＤ未設置階床１８に入居したテナント１７（事務所または店舗）のスペースにＡＥＤ専用呼び釦８を設置する。テナント１７内で患者が発生したときに、救助者がテナント１７内のＡＥＤ専用呼び釦８を押して、乗りかご７をテナント１７のある階床へ呼ぶ。救助者は乗り場１まで移動し、到着した乗りかご７に乗り込む。専用運転の動作を行った後、救助者は患者の待つテナント１７までＡＥＤ３を運んで、患者に使用する。
【００２６】
テナント１７内にＡＥＤ専用呼び釦８を備えたので、テナント１７内で患者が心室細動を発症したと推定される場合には、より早くエレベーター９の呼び寄せができる。
【００２７】
エレベーター９を備えた病院において、ＡＥＤ３を装備していない階床の各病室内にＡＥＤ専用呼び釦８を設置する。救急治療室と循環器科病棟にはＡＥＤ３が通常備わっているはずであるから、例えば救急治療室と循環器科のある階床以外の階床の病室内だけにＡＥＤ専用呼び釦８を設置しても良い。
【００２８】
病室内で患者が発生したときに、救助者が病室内のＡＥＤ専用呼び釦８を押して、乗りかご７を病室のある階床へ呼ぶ。救助者は乗り場１まで移動し、到着した乗りかご７に乗り込む。専用運転の動作を行った後、救助者は患者の待つ病室までＡＥＤ３を運んで、患者に使用する。病室内にＡＥＤ専用呼び釦８を備えたので、病室内で患者が心室細動を発症したと推定される場合には、より早くエレベーター９の呼び寄せができる。
【符号の説明】
【００２９】
１  乗り場
２  共用スペース
３  ＡＥＤ
４  制御装置
５  設置階床
６  設置階床記憶装置
７  乗りかご
８  ＡＥＤ専用呼び釦
９  エレベーター
１０  発生階床
１１  扉
１２  音声放送
１３  文字表示
１４  専用出発釦
１５  集合住宅
１６  住戸
１７  テナント（事務所）
１８  ＡＥＤ未設置階床
【図１】
2010260703.tif 000003
【図２】
2010260703.tif 000004
【図３】
2010260703.tif 000005